(57)【要約】【課題】本発明は、利用者がポイント地点を探し出す興趣性を備えるとともにポイント地点に到達することでポイント情報が得られる集客効果を有するポイント情報処理システム及び方法を提供することを目的とするものである。【解決手段】情報処理装置１は、携帯端末２及び店舗端末３の間で情報を送受信する送受信部１４、各種情報を記憶する記憶部１１、送受信部１４及び記憶部１１との間で必要な情報処理を行う制御部１０、装置を操作するための情報を入力する入力部１２、処理された情報を表示する表示部１３を有する。情報処理装置１は、携帯端末２により選択されたポイント地点の問題を提示し、利用者が問題に基づいてポイント地点に到達してその地点識別情報を携帯端末２から送信する。地点識別情報がポイント地点のものを一致する場合に携帯端末２の位置情報がポイント地点の位置情報と比較し比較結果に基づいてポイントを加算する。【選択図】図１
2009157714.tif 000002
【特許請求の範囲】
【請求項１】
利用者の携帯端末と送受信する情報処理装置を用いて当該利用者がポイント地点に到達した際に利用者のポイント情報の処理を行うポイント情報処理システムであって、前記情報処理装置は、前記携帯端末にポイント地点に関する問題を提示する手段と、ポイント地点に対応する地点識別情報が前記携帯端末から送信されたか判定する手段と、前記地点識別情報が送信されたと判定された場合に前記携帯端末の位置情報を取得して前記ポイント地点の位置情報と比較する手段と、前記携帯端末及びポイント地点の位置情報の比較結果に基づいて利用者のポイント情報の加算処理を行う手段とを備えていることを特徴とするポイント情報処理システム。
【請求項２】
前記情報処理装置は、前記携帯端末に複数のポイント地点に関する情報を地図上に表示するように処理する手段を備えていることを特徴とする請求項１に記載のポイント情報処理システム。
【請求項３】
前記情報処理装置は、提示された前記問題に対するヒントを提示する手段を備えていることを特徴とする請求項１又は２に記載のポイント情報処理システム。
【請求項４】
前記情報処理装置は、提示したヒントの回数に基づいて加算するポイント情報が小さくなるように加算処理することを特徴とする請求項３に記載のポイント情報処理システム。
【請求項５】
前記情報処理装置は、ポイント情報の加算処理を行う際にポイント加算履歴情報を蓄積するとともに蓄積されたポイント加算履歴情報に基づいて次回の加算処理を行うことを特徴とする請求項１から４のいずれかに記載のポイント情報処理システム。
【請求項６】
前記情報処理装置は、ポイント地点周辺の店舗情報を提示する手段と、店舗に対応する店舗識別情報が前記携帯端末から送信されたか判定する手段と、前記店舗識別情報が送信されたと判定された場合に当該店舗識別情報に対応する店舗端末より利用情報を取得する手段と、前記店舗識別情報が送信されたと判定された場合に前記携帯端末の位置情報を取得して前記店舗の位置情報と比較する手段と、前記携帯端末及び前記店舗の位置情報の比較結果及び前記利用情報に基づいて利用者のポイント情報の加算処理を行う手段とを備えていることを特徴とする請求項１から５のいずれかに記載のポイント情報処理システム。
【請求項７】
利用者の携帯端末と送受信する情報処理装置を用いて当該利用者がポイント地点に到達した際に利用者のポイント情報の処理を行うポイント情報処理方法であって、
利用者の携帯端末にポイント地点に関する問題を提示するステップ、ポイント地点に対応する地点識別情報が前記携帯端末から送信されたか判定するステップ、前記地点識別情報が送信されたと判定された場合に前記携帯端末の位置情報を取得して前記ポイント地点の位置情報と比較するステップ、前記携帯端末及びポイント地点の位置情報の比較結果に基づいて利用者のポイント情報の加算処理を行うステップを
前記情報処理装置に実行させることを特徴とするポイント情報処理方法。
【請求項８】
前記携帯端末に複数のポイント地点に関する情報を地図上に表示するように処理するステップを前記情報処理装置に実行させることを特徴とする請求項７に記載のポイント情報処理方法。
【請求項９】
提示された前記問題に対するヒントを提示するステップを前記情報処理装置に実行させることを特徴とする請求項７又は８に記載のポイント情報処理方法。
【請求項１０】
提示したヒントの回数に基づいて加算するポイント情報が小さくなるように加算処理することを特徴とする請求項９に記載のポイント情報処理方法。
【請求項１１】
ポイント情報の加算処理を行う際にポイント加算履歴情報を蓄積するとともに蓄積されたポイント加算履歴情報に基づいて次回の加算処理を行うように前記情報処理装置に実行させることを特徴とする請求項７から１０のいずれかに記載のポイント情報処理方法。
【請求項１２】
ポイント地点周辺の店舗情報を提示するステップ、店舗に対応する店舗識別情報が前記携帯端末から送信されたか判定するステップ、前記店舗識別情報が送信されたと判定された場合に当該店舗識別情報に対応する店舗端末より利用情報を取得するステップ、前記店舗識別情報が送信されたと判定された場合に前記携帯端末の位置情報を取得して前記店舗の位置情報と比較するステップ、前記携帯端末及び前記店舗の位置情報の比較結果及び取得された前記利用情報に基づいて利用者のポイント情報の加算処理を行うステップを前記情報処理装置に実行させることを特徴とする請求項７から１１のいずれかに記載のポイント情報処理方法。
【発明の詳細な説明】
【技術分野】
【０００１】
本発明は、ポイント地点に利用者が到達することでポイント情報を獲得することができるポイント情報処理システム及び方法に関する。
【背景技術】
【０００２】
携帯電話等の通信機器が一般に広く使用されるようになり、またインターネット等の通信ネットワークが整備され、こうした通信インフラを利用して様々なサービスが行われるようになってきている。
【０００３】
そうしたサービスの１つとして携帯電話を用いたスタンプラリーやオリエンテーリングといったサービスが提案されている。例えば、特許文献１では、携帯電話端末が位置情報及びユーザＩＤをサービスサーバに伝送してマーク画像をサービスサーバから取得し、サービスサーバでは位置情報及びユーザＩＤに基づいて予め決められた位置群を通過したか否か判定するようにした点が記載されている。また、特許文献２では、博物館や展示場等で展示物を通過地点としたオリエンテーリングや宝探しゲーム等に用いられる情報処理システムが記載されており、展示物の傍らに設置されたデータ管理装置から携帯端末に管理装置識別子が送信され、こうして取得された管理装置識別子群が所定の条件を満たすか判定するようにした点が記載されている。また、特許文献３では、オリエンテーリングの際にチェックポイント毎に撮影した画像データに基づいて適正に完走したか判定するようにした点が記載されている。また、特許文献４では、車載ナビゲーション装置を搭載した自動車がチェックポイントである施設に到着すると、施設の稼働状態をチェックして空きのある次のチェックポイントである施設を決定するようにした点が記載されている。
【特許文献１】特開２００２−３０６６６１号公報
【特許文献２】特開２００３−１３４５４４号公報
【特許文献３】特開２００５−２６７６８号公報
【特許文献４】特開２００３−１８７０２７号公報
【発明の開示】
【発明が解決しようとする課題】
【０００４】
上述した特許文献に記載されたシステムでは、携帯電話等の移動通信機器からの位置情報やチェックポイントに設置された管理装置からの識別データに基づいて利用者がチェックポイントに到着したか否かを判定してスタンプラリーやオリエンテーリングを行うようにしているが、こうしたサービスは予め決められたコースを移動することが前提となり、利用者自身がコースを選択する余地が小さい。そのため、利用者が旅行に出かける場合のように、例えば、観光地をどのようなコースで観光していくか自由に決める際にはこうしたシステムでは対応することができない。
【０００５】
また、利用者が自由にコースを決めて観光等を行う場合観光スポット周辺の飲食店や土産物店といった店舗情報を知りたいという要望があり、店舗側でも観光客等を呼び込みたいという要望が強い。
【０００６】
そこで、本発明は、利用者がポイント地点を探し出すといった興趣性を備えるとともにポイント地点に到達することでポイント情報が得られるといった集客効果を有するポイント情報処理システム及び方法を提供することを目的とするものである。
【課題を解決するための手段】
【０００７】
本発明に係るポイント情報処理システムは、利用者の携帯端末と送受信する情報処理装置を用いて当該利用者がポイント地点に到達した際に利用者のポイント情報の処理を行うポイント情報処理システムであって、前記情報処理装置は、前記携帯端末にポイント地点に関する問題を提示する手段と、ポイント地点に対応する地点識別情報が前記携帯端末から送信されたか判定する手段と、前記地点識別情報が送信されたと判定された場合に前記携帯端末の位置情報を取得して前記ポイント地点の位置情報と比較する手段と、前記携帯端末及びポイント地点の位置情報の比較結果に基づいて利用者のポイント情報の加算処理を行う手段とを備えていることを特徴とする。さらに、前記情報処理装置は、前記携帯端末に複数のポイント地点に関する情報を地図上に表示するように処理する手段を備えていることを特徴とする。さらに、前記情報処理装置は、提示された前記問題に対するヒントを提示する手段を備えていることを特徴とする。さらに、前記情報処理装置は、提示したヒントの回数に基づいて加算するポイント情報が小さくなるように加算処理することを特徴とする。さらに、前記情報処理装置は、ポイント情報の加算処理を行う際にポイント加算履歴情報を蓄積するとともに蓄積されたポイント加算履歴情報に基づいて次回の加算処理を行うことを特徴とする。さらに、前記情報処理装置は、ポイント地点周辺の店舗情報を提示する手段と、店舗に対応する店舗識別情報が前記携帯端末から送信されたか判定する手段と、前記店舗識別情報が送信されたと判定された場合に当該店舗識別情報に対応する店舗端末より利用情報を取得する手段と、前記店舗識別情報が送信されたと判定された場合に前記携帯端末の位置情報を取得して前記店舗の位置情報と比較する手段と、前記携帯端末及び前記店舗の位置情報の比較結果及び取得された前記利用情報に基づいて利用者のポイント情報の加算処理を行う手段とを備えていることを特徴とする。
【０００８】
本発明に係るポイント情報処理方法は、利用者の携帯端末と送受信する情報処理装置を用いて当該利用者がポイント地点に到達した際に利用者のポイント情報の処理を行うポイント情報処理方法であって、利用者の携帯端末にポイント地点に関する問題を提示するステップ、ポイント地点に対応する地点識別情報が前記携帯端末から送信されたか判定するステップ、前記地点識別情報が送信されたと判定された場合に前記携帯端末の位置情報を取得して前記ポイント地点の位置情報と比較するステップ、前記携帯端末及びポイント地点の位置情報の比較結果に基づいて利用者のポイント情報の加算処理を行うステップを前記情報処理装置に実行させることを特徴とする。さらに、前記携帯端末に複数のポイント地点に関する情報を地図上に表示するように処理するステップを前記情報処理装置に実行させることを特徴とする。さらに、提示された前記問題に対するヒントを提示するステップを前記情報処理装置に実行させることを特徴とする。さらに、提示したヒントの回数に基づいて加算するポイント情報が小さくなるように加算処理することを特徴とする。さらに、ポイント情報の加算処理を行う際にポイント加算履歴情報を蓄積するとともに蓄積されたポイント加算履歴情報に基づいて次回の加算処理を行うように前記情報処理装置に実行させることを特徴とする。さらに、ポイント地点周辺の店舗情報を提示するステップ、店舗に対応する店舗識別情報が前記携帯端末から送信されたか判定するステップ、前記店舗識別情報が送信されたと判定された場合に当該店舗識別情報に対応する店舗端末より利用情報を取得するステップ、前記店舗識別情報が送信されたと判定された場合に前記携帯端末の位置情報を取得して前記店舗の位置情報と比較するステップ、前記携帯端末及び前記店舗の位置情報の比較結果及び取得された前記利用情報に基づいて利用者のポイント情報の加算処理を行うステップを前記情報処理装置に実行させることを特徴とする。
【発明の効果】
【０００９】
本発明は、上記のような構成を有することにより、利用者の携帯端末にポイント地点に関する問題を提示して利用者が回答となるポイント地点を判断し、ポイント地点に行かなければ得られない地点識別情報を利用者の携帯端末から送信してポイント地点の位置情報と利用者の携帯端末の位置情報を比較してその結果に基づいてポイント情報の加算処理を行うようにしているので、利用者に対して、問題への解答、ポイント地点での地点識別情報の探索、正解の場合のポイント情報の取得といった相乗的な興趣性を備えている。
【００１０】
そして、ポイント地点は利用者が自由に選択することができることから、観光地を巡るコースを利用者が自由に設定することが可能となり、設定されたコースの一連のポイント地点において繰返しポイント情報が得られ、観光地を巡る間継続して興趣性が得られるようになる。
【００１１】
また、各ポイント地点に利用者が到達しないとポイント情報を得ることができないため、ポイント地点への集客効果を高めることが可能となり、得られたポイント情報をポイント地点周辺の店舗等で利用可能とすれば、販売促進にも役立てることができる。
【００１２】
また、携帯端末に複数のポイント地点に関する情報を地図上に表示すれば、利用者がポイント地点を容易に選択することができる。
【００１３】
また、提示された問題に対するヒントを提示するようにすれば、提示された問題が解けない場合にヒントによりポイント地点がわかりやすくなって利用者が正答を得やすくなる。そして、提示したヒントの回数に基づいて加算するポイント情報が小さくなるように加算処理すれば、問題に対する利用者の解答意欲を高めることができる。
【００１４】
また、ポイント情報の加算処理を行う際にポイント加算履歴情報を蓄積するとともに蓄積されたポイント加算履歴情報に基づいて次回の加算処理を行うようにすれば、連続して同じポイント地点でポイント情報を取得するといった場合に応じて加算処理を適宜調整することができる。
【００１５】
また、ポイント地点周辺の店舗情報を提示して店舗に対応する店舗識別情報が携帯端末から送信されたか判定し、店舗識別情報が送信されたと判定された場合に当該店舗識別情報に対応する店舗端末より利用情報を取得し、店舗識別情報が送信されたと判定された場合に携帯端末の位置情報を取得して店舗の位置情報と比較し、携帯端末及び店舗の位置情報の比較結果及び取得された利用情報に基づいて利用者のポイント情報の加算処理を行うようにすれば、ポイント地点周辺の店舗への利用者の集客効果を高めることができ、店舗での販売金額等の利用情報によりポイント情報を加算処理すれば販売促進効果についてもさらに高めることが可能となる。
【発明を実施するための最良の形態】
【００１６】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１７】
図１は、本発明に係る実施形態に関するシステム全体の概要図を示している。情報処理装置１は、インターネット等のネットワーク網４を介して複数の携帯端末２及び複数の店舗端末３が接続されている。
【００１８】
情報処理装置１は、携帯端末２及び店舗端末３の間で情報を送受信する送受信部１４、各種情報を記憶する記憶部１１、送受信部１４及び記憶部１１との間で必要な情報処理を行う制御部１０、装置を操作するための情報を入力する入力部１２、処理された情報を表示する表示部１３を有する。
【００１９】
記憶部１１は、利用者情報ＤＢ１１１、店舗情報ＤＢ１１２、地図表示情報ＤＢ１１３、ポイント地点情報ＤＢ１１４、ポイント情報ＤＢ１１５及び管理情報ＤＢ１１６を備えている。
【００２０】
利用者情報ＤＢ１１１は、利用者の氏名、年齢、男女別、住所、連絡先、利用者ＩＤ等の利用者の属性に関する情報を登録している。また、利用者の所持する携帯端末の固有のＩＤ情報についても利用者情報とともに登録している。
【００２１】
店舗情報ＤＢ１１２は、利用者がポイントを蓄積できる加盟店や自動販売機等の無人サービス機器等に関する名称、所在地、連絡先、店舗ＩＤ等の属性を登録している。また、店舗ＩＤに関連付けて、ＧＰＳ等に基づく店舗の位置情報及び店舗識別情報を記憶している。店舗識別情報は、その店舗に行かなければ取得できない識別情報で、ＱＲコードや暗号コード等の携帯端末で入力可能なコードを用いればよく、店舗ＩＤを兼用してもよい。また、店舗のレシート等に表示された識別可能なマークを使用することもできる。店舗情報ＤＢにはその他に店舗に関する広告情報を記憶するようにしてもよい。
【００２２】
自動販売機の場合には、こうした店舗識別情報を販売する商品に表示しておき、商品を購入することで取得できるようにしておけばよい。そして、店舗識別情報とともに商品の利用金額も併せて表示して、店舗識別情報とともに利用金額も携帯端末で読み取って情報処理装置に送信するようにしてもよい。
【００２３】
露店等の移動販売業者や路上演奏者のように日常的に販売サービス場所を移動する場合には、移動する度に新たな店舗識別情報を設定して業者の携帯端末に送信し、移動場所での位置情報を取得して記憶しておくとよい。
【００２４】
店舗としては、上述したもの以外に、遊園地、動物園、植物園、博物館等の有料の施設でもよく、こうした施設の入場券に店舗識別情報を表示するようにすればよい。また、鉄道の路線の駅、高速道路のサービスエリア、主要道路の道の駅といった施設でも店舗として登録することができる。
【００２５】
地図表示情報ＤＢ１１３は、ポイント地点や店舗の所在地を表示する際の地図情報を記憶している。
【００２６】
ポイント地点情報ＤＢ１１４は、観光地の観光スポット等のポイント地点に関する名称、所在地、地点識別情報、ＧＰＳ等に基づく位置情報といった属性情報及びポイント地点に関する問題、問題に対するヒントを記憶している。
【００２７】
地点識別情報とは、そのポイント地点に行かなければ取得できない識別情報であり、ポイント地点に設置された案内看板、石碑等にＱＲコード、暗号コードといったその地点を識別可能な情報を表示しておく。そして、携帯端末によりＱＲコードを撮影して取得したり、暗号コードをキーボード入力することで情報処理装置１に地点識別情報を送信することができる。また、ポイント地点に液晶パネル等の専用表示板を設置してその地点特有の画像データを表示して地点識別情報として用いるようにしてもよい。
【００２８】
ポイント情報ＤＢ１１５は、利用者が取得したポイントを利用者ＩＤと関連付けて記憶するとともにその加算履歴情報（加算した日時、ポイント地点、店舗等）を記憶するとともに加算処理に必要なデータ（ポイント地点や店舗別の加算ポイント数、ヒント回数によるポイント数等）を記憶している。また、利用者が取得したポイントを使用した場合にはポイントの減算処理に関する履歴情報についても記憶するようにしてもよい。また、店舗の利用実績に基づく課金データを店舗ＩＤに関連付けて記憶するとともにその課金履歴情報を記憶している。
【００２９】
管理情報ＤＢ１１６は、利用者に提示する利用規約に関するデータや誤回答の場合等のメッセージに関するデータ等を記憶している。
【００３０】
制御部１０は、認証処理部１０１、表示処理部１０２、判定処理部１０３及びポイント処理部１０４を備えており、認証処理部１０１は、利用者や店舗からのアクセスに対してその認証処理を行う。
【００３１】
表示処理部１０２は、携帯端末２にポイント地点や店舗の所在地を地図情報とともに表示する地図表示画面、各種入力画面、各種選択画面、各種メッセージ画面を携帯端末２に表示するための処理を行う。
【００３２】
判定処理部１０３は、携帯端末２から送信されたポイント地点に関する地点識別情報がポイント地点情報ＤＢ１１４に登録されたものと一致するか判定したり、店舗に関する店舗識別情報が店舗情報ＤＢ１１２に登録されたものと一致するか判定するための処理を行う。また、携帯端末２から受信した当該携帯端末の位置情報がポイント地点又は店舗に関する位置情報と一致するか判定するための処理を行う。
【００３３】
携帯端末２から送信されるその位置情報は、携帯電話等に装備されているＧＰＳ機能を用いて取得することができる。また、店舗を利用している場合には、自動車に搭載されるＥＴＣ機器を支払いに利用した際に利用者の位置情報を取得したり、電子マネー用ＩＣカードを支払いに利用した際に利用者の位置情報を取得するようにすることもできる。
【００３４】
ポイント処理部１０４は、利用者のポイント情報に関する加算ポイントの算出及びそれに基づくポイント情報の更新処理を行う。また、利用者がポイントを使用した場合には使用したポイント分の減算処理を行うようにしてもよい。また、店舗の利用実績に基づいて課金データの算出処理を行う。
【００３５】
ポイントの加算処理は、問題の解答となるポイント地点に到達した場合に加算するが、問題に対するヒントの回数に応じて加算するポイント数を少なくしたり、ポイント地点に最初に到達した場合に最も高いポイント数に設定し、２回目以降のポイント地点の到達では加算ポイント数を減少させるようにしてもよい。また、加盟店等の店舗で商品を購入した場合のように利用実績がある場合には利用実績に合せてポイント地点の到達の場合よりも高いポイントを加算する。
【００３６】
また、加算履歴情報を参照して、同一ポイント地点に連続して到達した場合には２回目以降は加算しないようにしたり、ポイント地点から次のポイント地点までの経過時間または店舗から次の店舗までの経過時間が極めて短い場合といった不自然な行動に対しても加算しないように処理することもできる。
【００３７】
なお、獲得したポイントは、所定のポイント数が蓄積されると利用者が商品券や商品と交換することができるようにすればよい。その場合には、交換した分のポイント数を減算処理する。また、獲得したポイントに応じて商品のオークションに参加することができるようにして、オークションにより商品を獲得することができるようにしてもよい。また、所定期間内の獲得ポイント数に基づいて利用者の順位付けを行い、順位に応じてさらにボーナスポイントが獲得できるといった娯楽性を付加することで、利用者のポイント獲得への動機をさらに高めるようにしてもよい。
【００３８】
次に、本実施形態において情報処理装置１における情報処理について説明する。図２は、利用者登録に関する処理フローである。まず、利用者端末から情報処理装置にアクセスして登録要求を行うと（Ｓ１００）、情報処理装置から登録画面が送信される（Ｓ１０１）。そして、利用者端末に登録画面を表示して（Ｓ１０２）必要な利用者情報を入力した後返信する（Ｓ１０３）。利用者情報としては、利用者の氏名、年齢、男女別、住所、連絡先といった属性情報や利用者が所持する携帯端末の固有ＩＤ情報等が挙げられる。
【００３９】
情報処理装置では、受信した利用者情報をチェックして（Ｓ１０４）、問題ない場合には管理情報ＤＢより利用規約を読み出して送信する（Ｓ１０５）。利用者端末では送信された利用規約を表示して承諾する場合には承諾データを送信する（Ｓ１０６）。情報処理装置は利用規約が承諾処理されると利用者ＩＤを付与して利用者情報ＤＢに利用者登録処理を行う（Ｓ１０７）。そして、登録された利用者ＩＤを登録された利用者の連絡先に送付する発行処理を行う（Ｓ１０８）。利用者端末では発行された利用者ＩＤを保存処理して終了する（Ｓ１０９）。
【００４０】
図３及び図４は、ポイント地点に到達するまでの処理フローである。利用者登録後利用者端末からポイント地点選択画面にアクセスする（Ｓ２００）。情報処理装置では、まず利用者ＩＤ入力画面を利用者端末に送信し（Ｓ２０１）、利用者端末に入力画面を表示する（Ｓ２０２）。そして、利用者ＩＤを入力後情報処理装置に送信して（Ｓ２０３）利用者ＩＤの確認を行う（Ｓ２０４）。
【００４１】
以上の認証処理が行われた後、情報処理装置では地図表示情報ＤＢ及びポイント地点情報ＤＢから必要なデータを読み出してポイント地点選択画面を作成する（Ｓ２０５）。そして、作成されたポイント地点選択画面を利用者端末に送信して表示する。
【００４２】
ポイント地点選択画面は、例えば、図８に示すように、日本地図上にジャンル別にポイント地点を表示する。この例では、利用者は自分が行きたい地域及びジャンルに基づいてポイント地点を選択する。選択する場合には、地図上に表示されたジャンル別のマークをクリックすることで選択操作を行うことができる。また、図９に示すように、日本地図上の特定の地域、例えば福井県を拡大表示してポイント地点の位置表示をわかりやすくすることもできる。
【００４３】
次に、ポイント地点選択画面において１つのポイント地点を選択すると（Ｓ２０７）、ポイント地点情報ＤＢから選択地点の問題を読み出して利用者端末に送信する（Ｓ２０８）。利用者端末では送信された問題を表示し利用者が問題を読んでポイント地点がどこか推測する（Ｓ２０９）。図１０は、問題が表示された画面例を示している。この例では、ポイント地点が選択されると、選択されたポイント地点の問題が吹出しで囲まれて表示されるようになる。
【００４４】
提示された問題に対してヒントが必要か否か選択し（Ｓ２１０）、ヒントが必要な場合にはヒントの要求処理を行う（Ｓ２１１）。情報処理装置ではヒントの要求があるか否かチェックし（Ｓ２１２）、ヒントの要求がある場合には選択地点のヒントを読み出して利用者端末に送信する（Ｓ２１３）。そして、ヒントを送信する度にヒント回数をカウントする（Ｓ２１４）。利用者端末ではヒントが送信されるとヒントを確認して（Ｓ２１５）再度問題のポイント地点を推測し、わからない場合にはステップＳ２１０に戻り、再びヒントが必要か検討する。
【００４５】
ヒントをもらってもポイント地点がわからなかった場合や問題をみて全くわからない場合にはポイント地点の位置情報を取得するか否か選択し（Ｓ２１６）、ポイント地点の位置情報を取得する場合には情報処理装置に要求する（Ｓ２１７）。情報処理装置では位置情報の要求があるか否かチェックして（Ｓ２１８）、要求がある場合には選択されたポイント地点の位置情報をポイント地点情報ＤＢより読み出して送信する（Ｓ２１９）。利用者端末では送信されたポイント地点の位置情報を保存し、ポイント地点の探索を行って地図が表示された画面上に表示するようにする（Ｓ２２０）。
【００４６】
情報処理装置では、ポイント選択画面を送信した利用者ＩＤ、選択日時、選択されたポイント地点情報、ヒント回数、地点位置情報の送信の有無をポイント地点選択情報としてポイント情報ＤＢに記憶する（Ｓ２２１）。そして、記憶したポイント地点選択情報を確認情報として利用者端末に送信し（Ｓ２２２）、利用者端末では送信された確認情報を表示するとともに保存する（Ｓ２２３）。
【００４７】
以上のように、ポイント地点を地図とともに表示し利用者がポイント地点を選択するとその地点に関する問題が表示され、利用者は提示された問題に基づいて選択されたポイント地点がどこか推測する。そして、利用者は推測されたポイント地点に移動してポイント地点の到達処理を行う。その際に、問題からポイント地点がわからない場合にはヒントを活用することができ、また問題のポイント地点に関する位置情報を取得することもできる。ただし、ヒントを提示したり、位置情報を取得すると、後述するように加算ポイントの算出の際に加算するポイントが小さくなるように加算処理される。
【００４８】
図５及び図６は、ポイント地点に到達した場合の処理フローである。ポイント地点の選択処理後利用者端末から地点識別情報入力画面にアクセスする（Ｓ３００）。情報処理装置では、まず利用者ＩＤ入力画面を利用者端末に送信し（Ｓ３０１）、利用者端末に入力画面を表示する（Ｓ３０２）。そして、利用者ＩＤを入力後情報処理装置に送信して（Ｓ３０３）利用者ＩＤの確認を行う（Ｓ３０４）。
【００４９】
以上の認証処理が行われた後、入力された利用者ＩＤ及びポイント情報ＤＢに記憶されたポイント地点選択情報に基づいて地点識別情報入力画面を作成し利用者端末に送信する（Ｓ３０５）。地点識別情報入力画面には、選択日時及び選択されたポイント地点の問題が表示されており、利用者端末に表示された後（Ｓ３０６）対応する地点識別情報が入力される（Ｓ３０７）。地点識別情報が案内板等に表示されたＱＲコードの場合にはＱＲコードを撮影して入力処理が行われる。
【００５０】
地点識別情報が送信されると、情報処理装置では選択日時からの経過時間が指定時間内かチェックし（Ｓ３０８）指定時間内でない場合には無効メッセージを送信する（Ｓ３０９）。利用者端末では無効メッセージが送信されたかチェックして（Ｓ３１０）無効メッセージが送信された場合には表示する（Ｓ３１１）。この例では、指定時間内であるか否かチェックしているが、所定時間よりも短い場合にも無効メッセージを送信するようにしてもよい。
【００５１】
選択日時から指定時間内である場合には、送信された地点識別情報がポイント情報ＤＢにポイント地点選択情報として記憶されたポイント地点情報の地点識別情報と一致するか否かチェックし（Ｓ３１２）、一致しない場合には誤回答メッセージを送信する（Ｓ３１３）。利用者端末では誤回答メッセージが送信されたかチェックして（Ｓ３１４）誤回答メッセージが送信された場合には表示する（Ｓ３１５）。
【００５２】
地点識別情報が一致した場合には、情報処理装置は端末位置情報の送信を要求し（Ｓ３１６）利用者端末はそれに応じて端末位置情報を返信する（Ｓ３１７）。端末位置情報については、ＧＰＳ機能を備える携帯電話の場合にはＧＰＳに基づく位置情報を送信すればよい。
【００５３】
情報処理装置では、端末位置情報が送信されると、ポイント情報ＤＢに記憶されたポイント地点選択情報の位置情報と比較して（Ｓ３１８）加算ポイントの算出処理が行われる（Ｓ３１９）。この場合、両者の位置情報を比較して所定の範囲内（例えば半径１００ｍ以内）であれば利用者端末がポイント地点に到達したものとして加算処理を行う。比較した結果、所定の範囲外に利用者端末が位置していると判断される場合には加算処理される加算ポイントは０となる。また、ヒント回数及び地点位置情報を予め取得したか否かによって加算ポイントは小さくなるように算出される。
【００５４】
加算ポイントが算出されると利用者のポイント情報に加算されて更新処理が行われる（Ｓ３２０）。更新処理されたポイント情報は、利用者端末に送信されて表示されるとともに保存処理が行われる（Ｓ３２１）。そして、加算履歴情報（加算ポイント、加算日時、選択ポイント地点等）がポイント情報ＤＢに登録される（Ｓ３２２）。
【００５５】
次に、情報処理装置は、利用者が到達したポイント地点周辺の店舗情報画面を作成する（Ｓ３２３）。店舗情報画面は、加盟店、自動販売機等の無人のサービス機器、露店等の移動店舗といったポイントが獲得できるサービス拠点に関する情報を店舗情報ＤＢから読み出してポイント地点周辺の地図上に表示する。作成された店舗情報画面は利用者端末に送信されて表示され（Ｓ３２４）、店舗を選択すると（Ｓ３２５）情報処理装置では店舗情報ＤＢから店舗位置情報が読み出されて（Ｓ３２６）利用者端末に送信される。利用者端末では送信された店舗位置情報に基づいて店舗の探索が行われて店舗に到達するために必要なルート情報等が保存処理される（Ｓ３２７）。
【００５６】
また、情報処理装置では利用者端末において店舗が選択されて読み出された読出回数をカウントし、店舗情報ＤＢに記憶しておく（Ｓ３２８）。こうした読出回数を用いて後述する店舗に対する課金処理が行われる。なお、利用者端末で店舗が選択された場合に選択された店舗の位置情報とともに広告情報を店舗情報ＤＢから読み出して利用者端末に送信するようにしてもよい。
【００５７】
図７は、取得した店舗位置情報に基づいて利用者が店舗に到達した場合の処理フローである。選択した店舗に到達した後利用者端末から店舗識別情報入力画面にアクセスする（Ｓ４００）。情報処理装置では、まず利用者ＩＤ入力画面を利用者端末に送信し（Ｓ４０１）、利用者端末に入力画面を表示する（Ｓ４０２）。そして、利用者ＩＤを入力後情報処理装置に送信して（Ｓ４０３）利用者ＩＤの確認を行う（Ｓ４０４）。
【００５８】
以上の認証処理が行われた後、店舗識別情報入力画面が作成されて（Ｓ４０５）利用者端末に送信されて表示される（Ｓ４０６）。そして、利用者端末において到達した店舗識別情報が入力される（Ｓ４０７）。店舗識別情報は、例えば利用者が商品を購入する等店舗を利用した場合にレシートに表示されるＱＲコード、自動販売機で購入した商品に表示されたＱＲコードといったものが挙げられる。そして、こうしたＱＲコードを携帯電話等で撮影して店舗識別情報が入力される。
【００５９】
情報処理装置では、入力された店舗識別情報が店舗情報ＤＢに登録された店舗識別情報と一致するか確認され（Ｓ４０８）、店舗識別情報が一致した店舗に対して店舗利用情報入力画面が作成されて送信される（Ｓ４０９）。店舗利用情報には、利用者ＩＤ、利用者氏名及び店舗識別情報の入力日時等の店舗利用者の情報が表示されている。店舗端末では、送信された店舗利用情報入力画面を表示して（Ｓ４１０）店舗利用情報に表示された店舗利用者の情報を参照して利用金額等の店舗利用情報を入力して送信する（Ｓ４１１）。情報処理装置では、送信された店舗利用情報をポイント情報ＤＢに保存する（Ｓ４１２）。そして、端末位置情報の送信を要求し（Ｓ４１３）利用者端末はそれに応じて端末位置情報を返信する（Ｓ４１４）。端末位置情報については、ＧＰＳ機能を備える携帯電話の場合にはＧＰＳに基づく位置情報を送信すればよい。
【００６０】
情報処理装置では、端末位置情報が送信されると、店舗情報ＤＢに記憶された店舗位置情報と比較して（Ｓ４１５）利用者に対する加算ポイント及び店舗に対する課金データの算出処理が行われる（４１６）。この場合、両者の位置情報を比較して所定の範囲内（例えば半径１００ｍ以内）であれば利用者端末が選択された店舗に到達したものとして加算処理を行う。比較した結果、所定の範囲外に利用者端末が位置していると判断される場合には加算処理される加算ポイント及び課金データは０となる。また、ポイント情報ＤＢに保存された店舗利用情報に基づいて加算ポイント及び課金データが算出される。例えば、利用金額の１００円ごとに１ポイントが加算されるように算出する。また、利用金額の所定の割合が課金データとして算出される。
【００６１】
加算ポイント及び課金データが算出されるとそれに基づいて利用者のポイント情報及び店舗の課金データが更新処理される（Ｓ４１７）。更新処理されたポイント情報は、利用者端末に送信されて表示されるとともに保存処理が行われる（Ｓ４１８）。また、更新処理された課金データは、店舗端末に送信されて表示されるとともに保存処理が行われる（Ｓ４１９）。そして、情報処理装置では、ポイント地点情報ＤＢ及び地図表示情報ＤＢからデータが読み出されて店舗周辺のポイント地点に関する選択画面が作成され（Ｓ４２０）、利用者端末に送信されて表示される（Ｓ４２１）。以後、ステップＳ２０７及びＳ２０８に戻り、図３に示すポイント地点の選択処理が繰り返される。
【００６２】
こうして蓄積されたポイントは、利用者が商品券等に交換して使用することができ、また獲得ポイント数に応じた順位付けによるボーナスポイント付与といった処理を行うこともできる。
【００６３】
また、蓄積されたポイントの加算履歴情報を用いて、利用ポイント数の多いポイント地点や店舗の順位付けをリストアップすることもできる。
【００６４】
以上説明した例では、ポイント地点を選択する毎に地点識別情報を入力するようにしているが、利用者が設定したルートの一連のポイント地点を選択してから順次地点識別情報を入力するようにしてもよい。
【産業上の利用可能性】
【００６５】
本発明によれば、利用者に対して、問題への解答、ポイント地点での地点識別情報の探索、正解の場合のポイント情報の取得といった相乗的な興趣性を備えているので、遊園地やイベント会場内のポイント地点設定、鉄道の路線を利用した駅のポイント地点設定、道路の路線を利用したサービスエリアや道の駅等のポイント地点設定といった様々な利用形態が考えられ、利用者の幅広いニーズに対応することができる。
【図面の簡単な説明】
【００６６】
【図１】本発明に係る実施形態に関するシステム全体の概要図を示している。
【図２】利用者登録に関する処理フローである。
【図３】ポイント地点に到達するまでの処理フローである。
【図４】ポイント地点に到達するまでの処理フローである。
【図５】ポイント地点に到達した場合の処理フローである。
【図６】ポイント地点に到達した場合の処理フローである。
【図７】取得した店舗位置情報に基づいて利用者が店舗に到達した場合の処理フローである。
【図８】ポイント地点選択画面に関する画面例である。
【図９】ポイント地点選択画面に関する拡大した画面例である。
【図１０】ポイント地点選択画面に問題を表示した画面例である。
【符号の説明】
【００６７】
１      情報処理装置
２      携帯端末
３      店舗端末
４      ネットワーク網
【図１】
2009157714.tif 000003
【図２】
2009157714.tif 000004
【図３】
2009157714.tif 000005
【図４】
2009157714.tif 000006
【図５】
2009157714.tif 000007
【図６】
2009157714.tif 000008
【図７】
2009157714.tif 000009
【図８】
2009157714.tif 000010
【図９】
2009157714.tif 000011
【図１０】
2009157714.tif 000012